(57)【要約】【課題】湿度調整等の機能を有するようにしても、製造コストの上昇を抑えることができる、養生シートを提供する。【解決手段】養生シート３０は、紙基材３２の上層３３と下層３４との間の中間層にのみ炭粉３８を含有する紙製のシート材からなる。シート材には、抄紙工程時に紙基材の中間層にのみ炭粉が配置され、接着剤を用いずに製造されるクレープ紙が好ましい。また、予め所定寸法の矩形形状に切断された後、折り畳まれた状態であることが好ましい。【選択図】図１
2007277903.tif 000002
【特許請求の範囲】
【請求項１】
紙基材の中間層にのみ炭粉を含有する紙製のシート材からなることを特徴とする、養生シート。
【請求項２】
前記シート材は、抄紙工程時に前記紙基材の前記中間層にのみ前記炭粉が配置され、接着剤を用いずに製造されることを特徴とする、請求項１に記載の養生シート。
【請求項３】
前記シート材がクレープ紙であることを特徴とする、請求項２に記載の養生シート。
【請求項４】
予め所定寸法の矩形形状に切断された後、折り畳まれた状態であることを特徴とする、請求項１、２又は３に記載の養生シート。
【発明の詳細な説明】
【技術分野】
【０００１】
本発明は養生シートに関し、詳しくは、畳の上等に敷き置く養生シートに関する。
【背景技術】
【０００２】
新築住宅の場合、建物の工事が完了してから実際に入居を開始するまで、一般には、戸締りされ、換気されない状態である。そのため、建物内が高温、多湿となり、畳等にカビが発生することがある。そこで、建物が完成してから入居するまでの間、畳等の上に敷き置く養生シートが提案されている。
【０００３】
例えば図３に示す養生シートは、防カビ剤、防虫剤、消臭剤、抗菌剤等が含浸せられて防カビ、防虫、消臭、抗菌等の加工が施されたクラフト紙等のシート主体１０の片面に、該シート主体１０の吸水性を遮断するため、ポリエチレンラミネート加工による耐水加工層１１が形成されるとともに、該耐水加工層１１上には、シート主体１０の強度を高めるためにポリプロピレンのメッシュ加工層１２が形成され、さらにメッシュ加工層１２上には、高分子粒子１３とホットメルト粉末１４との混合層１５を介して不織布１６が一体的に熱接着されている。高分子粒子１３は、相対湿度が６０％以上になると大気中の湿気を吸い始め、相対湿度が６０％以下になって来ると、吸収した湿気を排出して相対湿度を６０％に近似した値に保持するという湿度調節機能をもった吸湿、調湿、吸水性の呼吸作用を有する高分子粒子である。この養生シートは、不織布１６を上にして、畳１００の上に敷き置き、シート主体１０で畳１００の防カビ、防虫、消臭、抗菌等の効果が得られ、不織布１６や高分子粒子１３によって、室内の湿度が調整され、室内の防カビ効果が得られる（例えば、特許文献１参照）。
【０００４】
また、特許文献２には、ヒノキチオールを含有する液体を内蔵し、経時変化によって崩壊することで液体を放出し得るマイクロカプセルが開示されている。
【特許文献１】特開平１０−２２００２０号公報
【特許文献２】特開２００２−２３５４２９号公報
【発明の開示】
【発明が解決しようとする課題】
【０００５】
養生シートは入居までの間、一時的に使用するものであるため、低価格であることが要求される。
【０００６】
しかし、養生シートが湿度調整機能を有するようにするため、図３に示したように、シート主体１０の片面に、耐水加工層１１、高分子粒子１３とホットメルト粉末１４との混合層１５、不織布１６を設ける構成では、構成が複雑であり、製造工程も増え、製造コストが増大するため、養生シートを低価格で提供することは困難である。
【０００７】
本発明は、かかる実情に鑑み、湿度調整等の機能を有するようにしても、製造コストの上昇を抑えることができる、養生シートを提供しようとするものである。
【課題を解決するための手段】
【０００８】
本発明は、上記課題を解決するために、以下のように構成した養生シートを提供する。
【０００９】
養生シートは、紙基材の中間層にのみ炭粉を含有する紙製のシート材からなる。
【００１０】
上記構成によれば、紙基材の中間層に含有される炭粉は、空気中の水分を吸着する一方、湿度が下がると吸着した水分を解放し、湿度調整機能を有するので、シート材に耐水加工層や混合層などを設けることなく、湿度調節機能を得ることができる。
【００１１】
さらに、紙基材や炭粉により、脱臭、消臭、環境ホルモン等の有害物質除去の機能を得ることができる。
【００１２】
好ましくは、前記シート材は、抄紙工程時に前記紙基材の前記中間層にのみ前記炭粉が配置され、接着剤を用いずに製造される。
【００１３】
この場合、炭粉の機能の一部が接着剤によって失われることがない。
【００１４】
好ましくは、前記シート材がクレープ紙である。
【００１５】
クレープ紙は、皺が形成され、柔らかく、緩衝性があり、取り扱いやすい上、表面積が増えて、紙基材による脱臭、消臭、調湿などの効果を高めることができる。
【００１６】
好ましくは、養生シートは、予め所定寸法の矩形形状に切断された後、折り畳まれた状態である。
【００１７】
この場合、養生シートの運搬が容易になり、簡単に養生シートを敷き置くことができる。
【発明の効果】
【００１８】
本発明の養生シートは、湿度調整等の機能を有するようにしても、製造コストの上昇を抑えることができる。
【発明を実施するための最良の形態】
【００１９】
以下、本発明の実施の形態として実施例について、図１及び図２を参照しながら説明する。
【００２０】
図１に、養生シート３０の構成を模式的に示す。養生シート３０は、紙基材３２の中間層にのみ、多孔性炭化物である炭を粉末にした炭粉３８を含有シート材からなる。養生シート３０は、例えば畳２０の上に敷き置く。
【００２１】
炭粉３８は、空気中の水分を吸着する一方、湿度が下がると吸着した水分を解放するので、湿度調整機能を有する。この湿度調整機能によって、畳２０にカビが発生するのを防ぐことができる。さらに、養生シート３０中の炭粉３８は、外光、特に紫外線を遮断するので、紙基材３２のみの場合よりも、畳２０の日焼け防止効果を高めることができる。
【００２２】
さらに、紙基材３２や炭粉３８は、室内の壁紙や壁紙を接着する接着剤、新建材等から発生するトルエン、ホルムアルデヒド等の有害物質や、臭いの原因となる酢酸、アンモニア等のガスを吸着する。したがって、紙基材３２や炭粉３８により、脱臭、消臭、環境ホルモン等の有害物質除去の機能を得ることができる。
【００２３】
養生シート３０に用いるシート材は、抄紙工程時に、紙基材３２の上層３３と下層３４との間の中間層にのみ、炭粉３８が配置され、接着剤を用いずに、パルプ、炭、水だけで製造されるシート材を用いることが好ましい。このようなシート材は、炭粉３８の機能が接着剤等で失われることがないからである。
【００２４】
ダニ等の防虫効果を得るため、紙基材３２の上層３３と下層３４との間の中間層に、炭粉３８とともに、ヒバ油やヒノキチオール成分等を含むマイクロカプセル３９を配置してもよい。この場合、マイクロカプセル３９によって、効果の持続期間を長くすることができる。マイクロカプセル３９には、ヒバ油やヒノキチオール等を含有する液体を内蔵し、経時変化によって崩壊することで液体を少しずつ放出する公知のものを用いることができる。
【００２５】
中間層にマイクロカプセル３９を配置する代わりに、あるいは、中間層にマイクロカプセル３９を配置するとともに、紙基材３２の表裏面３６，３７の少なくとも一方に、ヒバ油やヒノキチオール成分等を含む液体を塗布し、紙基材３２にヒバ油やヒノキチオール成分等を含浸させるようにしてもよい。
【００２６】
ヒバ油やヒノキチオール等は天然由来であり好ましいが、ヒバ油やヒノキチオール等の代わりに、化学合成した防虫剤を用いてもよい。
【００２７】
その他、防カビ剤、消臭剤、抗菌剤などを含むマイクロカプセルを紙基材３２の中間層に配置したり、防カビ剤、消臭剤、抗菌剤などを紙基材３２に含浸させたりして、防カビ、消臭、抗菌等の加工を施してもよい。
【００２８】
また、シート材は、抄紙工程時に光触媒や空気触媒などの触媒粒子を炭粉に混ぜておくことによって、紙基材３２の中間層に炭粉３８とともに触媒粒子を配置し、さらに機能を高めるようにしてもよい。例えば、触媒粒子によって、カビの発生を抑制したり、空気中に浮遊する雑菌の発生を防いだり、悪臭成分を分解して消臭したり、有害化学物質を分解したり、マイナスイオンで室内の空気を自然界のバランスに整えたりする触媒機能を追加することができる。特に空気触媒（例えば、商品名「セルフィール（登録商標）」）は、触媒粒子の定着のためのバインダーが不要であるので、炭粉に混ぜておくだけの簡単な工程追加によって、上記のような触媒機能を追加することができる上、光を必要としないので、光が届きにくい紙基材３２の中間層に配置されても紙基材３２の通気によって空気に触れることで十分に触媒機能を発揮する。したがって、紙基材の中間層に炭粉とともに空気触媒の触媒粒子が配置されたシート材は、養生シート３０に特に好適である。
【００２９】
シート材の紙基材３２には、古紙（故紙）パルプ、木材パルプ、ケナフなどの非木材パルプ、化学パルプなどを用いることができるが、養生シート３０には、表裏面３６，３７に皺を形成したクレープ紙が好ましい。皺を形成すれば、柔らかく、緩衝性があり、取り扱いやすくなる上、表面積が増えて、紙基材３２による脱臭、消臭、調湿などの効果を高めることができる。
【００３０】
紙基材３２の中間層にのみ炭粉３８を含み、養生シート３０のシート材に好適なクレープ紙としては、例えば、故紙と梅の種の炭を粉末にした炭粉とを用いた１００％リサイクル商品である「梅炭クレープ紙」（商品名）が、山陽製紙株式会社から市販されている。
【００３１】
養生シート３０のシート材は紙基材３２の中間層にのみ炭粉３８を含有しているので、外部からのガスは、養生シート３０の紙基材３２を通って炭粉３８に達する。そのため、紙基材３２と炭粉３８の両方に、脱臭、消臭、調湿、有害物質の吸着などの効果を発揮させることができる。
【００３２】
養生シート３０のシート材は、通常の抄紙工程を若干変更することで製造することができ、製造したシート材を切断して養生シート３０として用いることができる。
【００３３】
養生シート３０のシート材は、図３のようにシート材に種々の加工を施す場合と比べると、湿度調整等の機能を有するようにしても、製造コストの上昇を抑えることができ、実用化が容易な価格で提供することができる。
【００３４】
養生シート３０のシート材として、抄紙工程時に紙基材の中間層にのみ炭粉が配置され、接着剤を用いずに製造されるもの以外に、（ａ）紙基材の表面にバインダーに混ぜて炭粉を塗布したもの、（ｂ）２枚の紙基材の間に炭粉を挟んで接着したもの、（ｃ）抄紙工程におけるパルプスラリー中に定着剤とともに炭化物粉末を添加して混練し均一に分散した後抄紙することによって、炭化物粉末が紙基材中に一体的に分散して保持されているものなどを用いることも考えられる。しかし、バインダー、定着剤等の接着剤を用いて炭粉を紙基材に保持すると、炭粉の機能の一部が接着剤によって失われる。そのため、実施例のように接着剤を用いずに製造されたシート材と同程度の効果を発揮させるには、炭粉の量を増やす必要があり、製造コストを抑えることが困難である。
【００３５】
したがって、養生シート３０には、抄紙工程時に紙基材３２の中間層にのみ炭粉３８が配置され、接着剤を用いずに製造されるシート材を用いることが好ましい。
【００３６】
炭粉３８は、養生シート３０の表裏面３６，３７や縁部３５には露出しないようにして、養生シート３０が室内の壁などに擦れても、炭粉３８で汚れることがないようにすることが好ましい。
【００３７】
この点においても、炭粉３８は、紙基材３２の中間層にのみ含有されて、炭粉３８が紙基材３２から剥離し、養生シート３０の表裏面３６，３７に露出することがほとんどないので、好ましい。
【００３８】
炭粉３８は、養生シート３０の中央部分にのみ分布し、養生シート３０の縁部３５の近傍には分布しなようにすることが好ましい。この場合、縁部３５の近傍では、紙基材３２の上下層３３，３４間に炭粉３８がないため、縁端３５から炭粉３８が剥離することがない上、紙基材３２の上下層３３，３４間の接合力が強くなるので、紙基材３２の中央部分により多くの炭粉３８を含有させ、炭粉３８の効果を高めることができる。
【００３９】
例えば、図２（ａ）に模式的に示すように、両側縁部分を除く中央部分４２にのみ炭粉を含有するように製造されたシート材４０を、切断線４４で切断して養生シート３０に用いることにより、養生シート３０の一対の辺の縁端に炭粉が露出しないようにすることができる。また、図２（ｂ）に示すように、適宜な間隔４５を設けて断続的に中央部分４３に炭粉を含有するように製造されたシート材４１を、切断線４４で切断して養生シート３０に用いることにより、養生シート３０の４辺の縁端に炭粉が露出しないようにすることができる。
【００４０】
もっとも、縁部３５まで炭粉３８が配置されるようにすることも可能である。この場合、炭粉３８の量が多いときや、炭粉３８の粒径が大きいときのように、縁部３５での炭粉３８の剥離が懸念されるなら、炭粉３８が露出する縁端３５を覆うようにテープを貼ったり、縁部３５付近を折り曲げ、ミシン糸やステープラー、接着剤等で固定したりして、縁端３５が露出しないようにしてもよい。
【００４１】
炭粉３８は、粒径が小さいほど、紙基材３２から剥離しにくい上、比表面積が増えて炭粉３８が発揮する効果も高まるので、好ましい。炭粉３８は、少なくとも、肉眼で見分けることが困難な程度の粒径であることが好ましく、例えば１００μｍ以下の粒径が好ましく、５０μｍ以下の粒径がより好ましい。
【００４２】
養生シート３０は、予め所定寸法の矩形形状に切断された後、折り畳まれた状態であることが好ましい。例えば、養生シート３０を敷き置く部屋の標準的な大きさ（例えば、６畳、８畳など）に切断され、折り畳まれた状態とする。これによって、保管・運搬が容易である。また、サイズの種類を限定すれば、在庫管理も容易になる。養生シートを用いるときには、折り畳まれた養生シートを広げ、そのまま、あるいは、余った部分を折り曲げたり、切り取ったり、あるいは複数枚を重ねたりするなどして、部屋の大きさに応じて養生シートを簡単に敷き置くことができる。
【００４３】
養生シート３０は、一般には、入居までの間に一時的に畳２０の上に敷き置いて使用するため、入居後には不要になる。不要になった養生シート３０は、適宜サイズに切断し、脱臭、調湿等のためにタンス、押入れ、下駄箱、靴などの中に敷いたり、靴の中に丸めて詰めたり、畳の下に敷いたりして、再利用することができる。再利用に役立てるために、養生シート３０の表面や裏面に、予め、再利用方法についての説明書きを取り付けたり、貼り付けたり、印刷したりしておいてもよい。また、再利用時の切り取りが容易となるように、養生シート３０の表面３６又は裏面３７に、予め、切り取り線や切抜き型を印刷したり、ミシン目を形成したりしておいてもよい。
【００４４】
＜まとめ＞  以上に説明した養生シート３０は、湿度調整、防カビ、消臭、脱臭、環境ホルモン等の有害物質除去、紫外線遮蔽等の機能を有するようにしても、製造コストの上昇を抑えることができる。養生シート３０は、これらの機能によって、空気の入れ換えなどの住宅管理の手間やコストが少なくなり、部屋見学時の臭いや湿気などの不快感を解消することができる。さらに、入居後に不要になった養生シート３０は、分別回収でき、再利用することもできる。燃料として使用すれば、炭入りなので火力がある。
【００４５】
なお、本発明は、上記した実施の形態に限定されるものではなく、種々変更を加えて実施することが可能である。
【００４６】
実施例では、養生シートを畳の上に敷き置く場合を例示したが、本発明の養生シートを押入れや、家具の中などに敷いてもよい。
【図面の簡単な説明】
【００４７】
【図１】養生シートの構成図である。（実施例）
【図２】シート材の説明図である。（実施例）
【図３】養生シートの断面図である。（従来例）
【符号の説明】
【００４８】
２０  畳
３０  養生シート
３２  紙基材
３８  炭粉
３９  マイクロカプセル
【図１】
2007277903.tif 000003
【図２】
2007277903.tif 000004
【図３】
2007277903.tif 000005